(57)【特許請求の範囲】
【請求項１】
本体の上部に開口部を有して内部に放射性廃棄物を貯留可能な放射性廃棄物の貯蔵容器を所定の区域に搬入するにあたり、
上部容器を側方入口部から床面に沿って移動自在な台車本体および前記台車本体を移動可能にする移動装置により水平移送して前記区域に搬入する工程と、
前記区域内に搬入された前記上部容器を上方に移送する工程と、
下部容器を前記側方入口部から前記床面に沿って移動自在な台車本体および前記台車本体を移動可能にする移動装置により水平移送して前記区域における前記上部容器の下方に搬入する工程と、
前記下部容器を前記上部容器の下方の所定位置で位置決めする工程と、
前記上部容器を下方に移送して前記下部容器の上に載置する工程と、
前記上部容器と前記下部容器を接合する工程と、
を有する貯蔵容器の搬入方法であって、
前記移動装置は、前記台車本体を牽引するものであって、前記台車本体は、前記移動装置における牽引用の索部材を連結可能な取付部材が設けられ、
前記床面に前記貯蔵容器を設置するための基礎が敷設されており、
前記下部容器を前記上部容器の下方の所定位置で位置決めする工程は、下方に先端を向けて配置されて前記下部容器と共に移送される位置決ピンと、前記基礎に設けられて前記位置決ピンの先端が挿入可能に設けられた位置決穴部とを設け、前記下部容器が前記上部容器の下方の所定位置に移送された際に前記位置決穴部に前記位置決ピンの先端が挿入され、
前記位置決ピンは、前記下部容器を前記基礎に固定する基礎ボルトが用いられ、前記位置決穴部は、前記基礎ボルトが螺合される前記基礎の雌ねじ部が用いられることを特徴とする貯蔵容器の搬入方法。
【請求項２】
前記下部容器を前記側方入口部から水平移送して前記区域における前記上部容器の下方に搬入する工程は、前記下部容器が搭載される搬送台車に取付けられた索部材を固定側との間に掛け渡して引くことで前記搬送台車を水平移送させることを特徴とする請求項１に記載の貯蔵容器の搬入方法。
【請求項３】
前記下部容器は、搬送台車に搭載されて該搬送台車が前記床面上を走行することで前記区域に搬入され、前記床面上に配置された昇降装置により上昇され、前記搬送台車が前記区域から搬出された後、前記昇降装置により下降されて前記床面上に設けられる前記基礎上に設置されることを特徴とする請求項１または２に記載の貯蔵容器の搬入方法。
【請求項４】
前記下部容器は、側面部が前記搬送台車に支持され、該搬送台車の走行により前記区域に搬入されることを特徴とする請求項３に記載の貯蔵容器の搬入方法。
【請求項５】
前記下部容器は、前記基礎に設置された後、複数の前記基礎ボルトにより前記基礎に固定され、その後、前記上部容器が載置されることを特徴とする請求項１から４のいずれか一つに記載の貯蔵容器の搬入方法。
【請求項６】
前記上部容器と前記下部容器とが接合された後、前記開口部から内部に連続するように排出ポンプ用のガイドレールが装着されることを特徴とする請求項１から５のいずれか一つに記載の貯蔵容器の搬入方法。
【請求項７】
前記上部容器は、前記開口部を有する屋根板と、リング形状をなす複数の胴板とを有し、前記下部容器は、リング形状をなす複数の胴板と、皿型形状をなす底板と、該底板を支持するスカートとを有し、建屋の入口から通路を通して、前記屋根板、前記複数の胴板、前記底板、前記スカートを前記区域の手前まで搬入し、ここで、前記屋根板と前記複数の胴板とを接合して前記上部容器を構成すると共に、前記複数の胴板と前記底板と前記スカートとを接合して前記下部容器を構成し、前記上部容器、前記下部容器の順に前記区域に搬入することを特徴とする請求項１から６のいずれか一つに記載の貯蔵容器の搬入方法。
【請求項８】
前記区域への前記側方入口部は、前記貯蔵容器の総高さよりも低く設定され、且つ、前記上部容器及び前記下部容器の各高さより高く設定されることを特徴とする請求項１から７のいずれか一つに記載の貯蔵容器の搬入方法。
【発明の詳細な説明】
【技術分野】
【０００１】
本発明は、各種プラントにて、放射性廃棄物の貯蔵容器を所定の場所に搬入する貯蔵容器の搬送台車及び貯蔵容器の搬入方法並びに放射性廃棄物の貯蔵容器に関するものである。
【背景技術】
【０００２】
従来、例えば、放射性廃棄物の貯蔵設備は、放射性フィルタスラッジや放射性廃棄イオン交換樹脂などの放射性廃棄物を、含水状態で長期間貯蔵するための貯蔵設備であって、タンク内に一定期間貯蔵された放射性廃棄物を安全かつ容易に取り出すことを目的としている。貯蔵設備は、放射線遮蔽壁で囲まれた空間内にタンクが設置されている。タンクは、その内部に、鉛直線上に位置するガイドレールが設けられている。前記空間における天上側の放射線遮蔽壁は、上端開口部が設けられ、当該開口部が放射線遮蔽材で作られたプラグ状の蓋によって閉じられている。
【０００３】
このような放射性廃棄物を貯蔵する貯蔵タンクとしては、下記特許文献１及び特許文献２に記載されたものがある。この特許文献１に記載された放射性廃棄物の貯蔵・移送装置は、放射性廃棄物を貯える大気開放容器と、この容器の遮蔽水中に入れられる攪拌移送ポンプと、ポンプに接続した移送管とを有し、放射性廃棄物と遮蔽水とを攪拌混合した後に移送管より排出するものである。また、特許文献２に記載された放射性廃棄物の貯蔵容器は、円筒形状をなす上部容器と下部容器が溶接により接合されて構成されるものである。
【０００４】
なお、特許文献２には、貯蔵容器の搬入方法として本体の上部に開口部を有して内部に放射性廃棄物を貯留可能な放射性廃棄物の貯蔵容器を所定の区域に搬入する貯蔵容器の搬入方法であって、上部容器を側方入口部から水平移送して前記区域に搬入する工程と、前記区域内に搬入された前記上部容器を上方に移送する工程と、下部容器を前記側方入口部から水平移送して前記区域における前記上部容器の下方に搬入する工程と、前記上部容器を下方に移送して前記下部容器の上に載置する工程と、前記上部容器と前記下部容器を接合する工程と、を有することが示されている。
【０００５】
また、下記特許文献３には、本体の上部に開口部を有して内部に放射性廃棄物を貯留可能な放射性廃棄物の貯蔵容器を所定の区域に搬入する貯蔵容器の搬送台車であって、床面に沿って移動自在な台車本体と、一端部が前記台車本体に連結されて他端部が前記貯蔵容器の側部を支持可能なサポート部材と、を備えることが示されている。
【先行技術文献】
【特許文献】
【０００６】
【特許文献１】特開昭６１−１６１４９９号公報
【特許文献２】特開２０１２−１５４７４５号公報
【特許文献３】特開２０１２−１５４７４６号公報
【発明の概要】
【発明が解決しようとする課題】
【０００７】
ところで、放射性廃棄物の貯蔵タンクは、放射能を帯びている樹脂を貯蔵するものであることから、建屋の地下で、コンクリート壁により遮蔽された部屋内に設置する必要がある。しかし、この放射性廃棄物の貯蔵タンクは、大型の容器であることから、建屋の地下室に搬入することが困難である。
【０００８】
本発明は、上述した課題を解決するものであり、所定の位置に容易に搬入可能とする貯蔵容器の搬送台車及び貯蔵容器の搬入方法並びに放射性廃棄物の貯蔵容器を提供することを目的とする。
【課題を解決するための手段】
【０００９】
上記の目的を達成するための本発明の貯蔵容器の搬送台車は、本体の上部に開口部を有して内部に放射性廃棄物を貯留可能な放射性廃棄物の貯蔵容器を所定の区域に搬入する貯蔵容器の搬送台車であって、床面に沿って移動自在な台車本体と、前記台車本体を移動可能にする移動装置と、を備えることを特徴とする。
【００１０】
従って、搬送台車が移動装置により移動可能に設けられていることで、大型の貯蔵容器を所定の位置に容易に搬入することができる。
【００１１】
本発明の貯蔵容器の搬送台車では、前記移動装置は、前記台車本体を牽引するものであって、前記台車本体は、前記移動装置における牽引用の索部材を連結可能な取付部材が設けられていることを特徴とする。
【００１２】
従って、搬送台車は、移動装置の索部材が取付けられて移動可能となるため、大型の貯蔵容器を所定の位置に容易に搬入することができる。
【００１３】
本発明の貯蔵容器の搬送台車では、前記移動装置は、前記台車本体を押し出すものであって、前記台車本体は、前記移動装置における押出機構を連結可能な取付部材が設けられていることを特徴とする。
【００１４】
従って、搬送台車は、移動装置の押出機構が取付けられて移動可能となるため、大型の貯蔵容器を所定の位置に容易に搬入することができる。
【００１５】
本発明の貯蔵容器の搬送台車では、前記移動装置は、前記台車本体を走行させるものであって、前記台車本体は、前記移動装置における駆動機構により転動されるガイドローラが設けられていることを特徴とする。
【００１６】
従って、搬送台車は、移動装置の駆動機構が取付けられガイドローラが転動されることで移動可能となるため、大型の貯蔵容器を所定の位置に容易に搬入することができる。
【００１７】
本発明の貯蔵容器の搬送台車では、一端部が前記台車本体に連結されて他端部が前記貯蔵容器の側部を支持可能なサポート部材を備えることを特徴とする。
【００１８】
従って、台車本体がサポート部材を介して貯蔵容器の側部を支持することで、貯蔵容器を低姿勢の状態で搬送することが可能となり、大型の貯蔵容器を所定の位置に容易に搬入することができる。
【００１９】
本発明の貯蔵容器の搬送台車では、前記台車本体は、水平な一対の縦梁と一対の横梁との各端部が連結されることで、内側に前記貯蔵容器が配置可能な枠体をなし、該枠体に前記サポート部材が連結されることを特徴としている。
【００２０】
従って、貯蔵容器を枠体の内側に配置してサポート部材により支持することで、台車本体の高さにかかわらず、貯蔵容器を床面と微小の隙間をもって搬送することができ、貯蔵容器を設置する区域に対して側方入口部が小さい場合であっても、貯蔵容器を容易に搬入して設置することができる。
【００２１】
本発明の貯蔵容器の搬送台車では、前記サポート部材は、前記各縦梁と前記各横梁における長手方向の中間部にそれぞれ連結されることを特徴としている。
【００２２】
従って、各縦梁及び各横梁と貯蔵容器との距離を短くすることで、サポート部材の長さを短くすることができ、このサポート部材の小型軽量化を可能とすることができる。
【００２３】
本発明の貯蔵容器の搬送台車では、前記貯蔵容器の側部に周方向に等間隔で固定される複数のサポートパッドを有し、前記サポート部材の端部が前記サポートパッドを介して前記貯蔵容器の側部に着脱自在に連結されることを特徴としている。
【００２４】
従って、予めサポートパッドを貯蔵容器の側部に固定しておくことで、サポート部材とサポートパッドを連結することで、この貯蔵容器を容易に支持することができる。
【００２５】
本発明の貯蔵容器の搬送台車では、前記サポートパッドは、前記サポート部材を固定するための固定ボルトが螺合する雌ねじ部を有することを特徴としている。
【００２６】
従って、サポート部材とサポートパッドとの連結作業の簡素化を可能とすることができる。
【００２７】
上記の目的を達成するための本発明の貯蔵容器の搬入方法は、本体の上部に開口部を有して内部に放射性廃棄物を貯留可能な放射性廃棄物の貯蔵容器を所定の区域に搬入する貯蔵容器の搬入方法であって、上部容器を側方入口部から床面に沿って水平移送して前記区域に搬入する工程と、前記区域内に搬入された前記上部容器を上方に移送する工程と、下部容器を前記側方入口部から前記床面に沿って水平移送して前記区域における前記上部容器の下方に搬入する工程と、前記下部容器を前記上部容器の下方の所定位置で位置決めする工程と、前記上部容器を下方に移送して前記下部容器の上に載置する工程と、前記上部容器と前記下部容器を接合する工程と、を有することを特徴とする。
【００２８】
従って、上部容器を側方入口部から区域に搬入して上方に移送した後に、下部容器を側方入口部からこの上部容器の下方に搬入し、上部容器を下部容器上に載置して両者を接合することで、貯蔵容器を設置する区域に対して側方入口部が小さい場合であっても、貯蔵容器を容易に搬入して設置することができる。しかも、下部容器を上部容器の下方の所定位置で位置決めすることで、貯蔵容器を設置する区域の所定位置に対して下部容器を設置することができる。
【００２９】
本発明の貯蔵容器の搬入方法では、前記下部容器を前記上部容器の下方の所定位置で位置決めする工程は、下方に先端を向けて配置されて前記下部容器と共に移送される位置決ピンと、前記床面側に設けられて前記位置決ピンの先端が挿入可能に設けられた位置決穴部とを設け、前記下部容器が前記上部容器の下方の所定位置に移送された際に前記位置決穴部に前記位置決ピンの先端が挿入されることを特徴とする。
【００３０】
従って、位置決ピンが位置決穴部に挿入することで、下部容器を上部容器の下方の所定位置で位置決めでき、貯蔵容器を設置する区域の所定位置に対して下部容器を設置することができる。
【００３１】
本発明の貯蔵容器の搬入方法では、前記下部容器を前記側方入口部から水平移送して前記区域における前記上部容器の下方に搬入する工程は、前記下部容器が搭載される搬送台車に取付けられた索部材を固定側との間に掛け渡して引くことで前記搬送台車を水平移送させることを特徴とする。
【００３２】
従って、搬送台車が移動可能に設けられることで、大型の貯蔵容器を所定の位置に容易に搬入することができる。
【００３３】
本発明の貯蔵容器の搬入方法では、前記下部容器は、搬送台車に搭載されて該搬送台車が前記床面上を走行することで前記区域に搬入され、前記床面上に配置された昇降装置により上昇され、前記搬送台車が前記区域から搬出された後、前記昇降装置により下降されて前記床面上に設けられる基礎上に設置されることを特徴としている。
【００３４】
従って、搬送台車に載せて下部容器を設置する区域に搬入し、昇降装置により下部容器を上昇させることで、搬送台車を容易に搬出することができる。
【００３５】
本発明の貯蔵容器の搬入方法では、前記下部容器は、側面部が前記搬送台車に支持され、該搬送台車の走行により前記区域に搬入されることを特徴としている。
【００３６】
従って、搬送台車は下部容器の側面部を支持して設置する区域に搬入することで、搬送台車に支持された下部容器の高さを低く抑えることができ、下部容器の搬入性を向上することができる。
【００３７】
本発明の貯蔵容器の搬入方法では、前記下部容器は、前記基礎に設置された後、複数の基礎ボルトにより前記基礎に固定され、その後、前記上部容器が載置されることを特徴としている。
【００３８】
従って、下部容器を基礎に固定してから上部容器を載置することで、軽量な状態で下部容器を適正な位置に固定することができると共に、上部容器の載置作業による下部容器の位置ずれを防止することができる。
【００３９】
本発明の貯蔵容器の搬入方法では、前記上部容器と前記下部容器とが接合された後、前記開口部から内部に連続するように排出ポンプ用のガイドレールが装着されることを特徴としている。
【００４０】
従って、容器本体の組立後にガイドレールを装着することで、このガイドレールまでも分割せずに組付性を向上することができる。
【００４１】
本発明の貯蔵容器の搬入方法では、前記上部容器は、前記開口部を有する屋根板と、リング形状をなす複数の胴板とを有し、前記下部容器は、リング形状をなす複数の胴板と、皿型形状をなす底板と、該底板を支持するスカートとを有し、建屋の入口から通路を通して、前記屋根板、前記複数の胴板、前記底板、前記スカートを前記区域の手前まで搬入し、ここで、前記屋根板と前記複数の胴板とを接合して前記上部容器を構成すると共に、前記複数の胴板と前記底板と前記スカートとを接合して前記下部容器を構成し、前記上部容器、前記下部容器の順に前記区域に搬入することを特徴としている。
【００４２】
従って、貯蔵容器を、屋根板、胴板、底板、スカートの複数の部品から構成することで、狭い通路であっても容易に設置する区域まで搬送することができ、組付性を向上することができる。
【００４３】
本発明の貯蔵容器の搬入方法では、前記区域への前記側方入口部は、前記貯蔵容器の総高さよりも低く設定され、且つ、前記上部容器及び前記下部容器の各高さより高く設定されることを特徴としている。
【００４４】
従って、貯蔵容器を設置する区域に対する側方入口部の高さが規定されている場合であっても、貯蔵容器を容易にこの区域に搬入して設置することができる。
【００４５】
上記の目的を達成するための本発明の放射性廃棄物の貯蔵容器は、円筒形状をなす本体の上部に開口部を有して下部が皿型形状をなし、内部に放射性廃棄物を貯留可能な放射性廃棄物の貯蔵容器であって、円筒形状をなす上部容器と下部容器が溶接により接合されて構成され、前記上部容器を上方に移送させた状態で前記下部容器を前記上部容器の下方に移送して前記上部容器と前記下部容器が接合されるもので、前記下部容器は、下方に先端を向けて配置された位置決ピンが設けられ、前記上部容器の下方の所定位置に移送された際に、床面側に設けられた位置決穴部に前記位置決ピンの先端が挿入されることを特徴とする。
【００４６】
従って、小型である上部容器と下部容器の状態で所定の位置に搬入し、ここで、上部容器と下部容器とを接合して構成することで、大型の貯蔵容器を所定の位置に容易に搬入することができる。しかも、位置決ピンが位置決穴部に挿入することで、下部容器を上部容器の下方の所定位置で位置決めでき、貯蔵容器を設置する区域の所定位置に対して下部容器を設置することができる。
【００４７】
本発明の放射性廃棄物の貯蔵容器では、前記開口部を有する屋根板と、リング形状をなす複数の胴板と、皿型形状をなす底板と、該底板を支持するスカートとを有し、上方から、前記屋根板、前記複数の胴板、前記底板、前記スカートの順に組み合わされて接合して構成されることを特徴としている。
【００４８】
従って、屋根板、胴板、底板、スカートの複数の部品から構成することで、狭い通路であっても容易に搬送することができ、組付性を向上することができる。
【００４９】
本発明の放射性廃棄物の貯蔵容器では、前記屋根板と前記複数の胴板と前記底板と前記スカートとが接合された後に、前記開口部から内部に連続するように排出ポンプ用のガイドレールが装着されることを特徴としている。
【００５０】
従って、容器本体の組立後にガイドレールを装着することで、このガイドレールまでも分割せずに組付性を向上することができる。
【発明の効果】
【００５１】
本発明の貯蔵容器の搬送台車によれば、床面に沿って移動自在な台車本体にサポート部材の一端部を連結して他端部により貯蔵容器の側部を支持可能とするので、貯蔵容器を低姿勢の状態で搬送することが可能となり、大型の貯蔵容器を所定の位置に容易に搬入することができる。
また、本発明の貯蔵容器の搬入方法及び放射性廃棄物の貯蔵容器によれば、貯蔵容器を上下分割構造とし、上部容器を設置する区域に搬入して上昇させてから下部容器を搬入し、上部容器を下部容器上に載置して両者を接合するので、貯蔵容器を設置する区域に対して側方入口部が小さい場合であっても、貯蔵容器を容易に搬入して設置することができる。
【図面の簡単な説明】
【００５２】
【図１】図１は、本発明の一実施例に係る放射性廃棄物の貯蔵容器としての貯蔵タンクを表す正面概略図である。
【図２】図２は、本実施例の貯蔵タンクの上面図である。
【図３−１】図３−１は、本実施例の貯蔵タンクを構成する屋根板の概略図である。
【図３−２】図３−２は、本実施例の貯蔵タンクを構成する胴板の概略図である。
【図３−３】図３−３は、本実施例の貯蔵タンクを構成する底板の概略図である。
【図３−４】図３−４は、本実施例の貯蔵タンクを構成するスカート上部の概略図である。
【図３−５】図３−５は、本実施例の貯蔵タンクを構成するスカート下部の概略図である。
【図４】図４は、本実施例の貯蔵タンクの搬入方法における第１、第２工程を表す側面図である。
【図５】図５は、第１、第２工程を表す正面図である。
【図６−１】図６−１は、第１工程を表す上面図である。
【図６−２】図６−２は、第１工程を表す上面図である。
【図６−３】図６−３は、第１工程を表す概略図である。
【図７】図７は、第２工程を表す上面図である。
【図８】図８は、本実施例の貯蔵タンクの搬入方法における第３工程を表す側面図である。
【図９】図９は、第３工程を表す正面図である。
【図１０−１】図１０−１は、第３工程を表す上面図である。
【図１０−２】図１０−２は、第３工程を表す上面図である。
【図１１】図１１は、搬送台車の脚部及び第４工程を表す概略図である。
【図１２】図１２は、搬送台車における下部タンクの支持部及び第４工程を表す概略図である。
【図１３】図１３は、本実施例の貯蔵タンクの搬入方法における搬送台車の搬出工程を表す側面図である。
【図１４】図１４は、下部タンク設置工程を表す上面図である。
【図１５】図１５は、搬送台車の昇降装置を表す概略図である。
【図１６】図１６は、本実施例の貯蔵タンクの搬入方法における下部タンクの設置工程を表す側面図である。
【図１７】図１７は、本実施例の貯蔵タンクの搬入方法における第５、第６工程を表す側面図である。
【発明を実施するための形態】
【００５３】
以下に添付図面を参照して、本発明に係る貯蔵容器の搬送台車の好適な実施例を詳細に説明する。なお、この実施例により本発明が限定されるものではなく、また、実施例が複数ある場合には、各実施例を組み合わせて構成するものも含むものである。
【実施例】
【００５４】
図１は、本発明の一実施例に係る放射性廃棄物の貯蔵容器としての貯蔵タンクを表す正面概略図、図２は、本実施例の貯蔵タンクの上面図、図３−１は、本実施例の貯蔵タンクを構成する屋根板の概略図、図３−２は、本実施例の貯蔵タンクを構成する胴板の概略図、図３−３は、本実施例の貯蔵タンクを構成する底板の概略図、図３−４は、本実施例の貯蔵タンクを構成するスカート上部の概略図、図３−５は、本実施例の貯蔵タンクを構成するスカート下部の概略図、図４は、本実施例の貯蔵タンクの搬入方法における第１、第２工程を表す側面図、図５は、第１、第２工程を表す正面図、図６−１は、第１工程を表す上面図、図６−２は、第１工程を表す上面図、図６−３は、第１工程を表す概略図、図７は、第２工程を表す上面図、図８は、本実施例の貯蔵タンクの搬入方法における第３工程を表す側面図、図９は、第３工程を表す正面図、図１０−１は、第３工程を表す上面図、図１０−２は、第３工程を表す上面図、図１１は、搬送台車の脚部及び第４工程を表す概略図、図１２は、搬送台車における下部タンクの支持部及び第４工程を表す概略図、図１３は、本実施例の貯蔵タンクの搬入方法における搬送台車の搬出工程を表す側面図、図１４は、下部タンク設置工程を表す上面図、図１５は、搬送台車の昇降装置を表す概略図、図１６は、本実施例の貯蔵タンクの搬入方法における下部タンクの設置工程を表す側面図、図１７は、本実施例の貯蔵タンクの搬入方法における第５、第６工程を表す側面図である。
【００５５】
本実施例において、まず、本実施例の放射性廃棄物の貯蔵容器としての貯蔵タンクについて説明する。図１及び図２に示すように、貯蔵タンク（貯蔵容器）１０１は、円筒形状をなす本体の上部に開口部を有して下部が皿型形状をなし、内部に放射性廃棄物を貯留可能なものである。この貯蔵タンク１０１は、円筒形状をなす上部タンク（上部容器）１０２と、円筒形状をなす下部タンク（下部容器）１０３とが溶接により接合されて構成されている。
【００５６】
即ち、この貯蔵タンク１０１は、屋根板１１１と、複数の胴板１１２，１１３と、底板１１４と、スカート１１５，１１６とが、上方から順に組み合わされて接合されることで構成されている。
【００５７】
屋根板１１１は、図３−１に示すように、円盤形状をなし、中央部に円形の開口部１１１ａが形成されている。また、屋根板１１１は、上面部に４つのたわみ防止梁１２１が点溶接により仮固定されており、この各たわみ防止梁１２１により搬送時の変形が防止される。なお、このたわみ防止梁１２１は、組付時に取り外される。
【００５８】
胴板１１２，１１３は、図３−２に示すように、１つの胴板１１２と５つの胴板１１３であって、胴板１１２と胴板１１３は、同じリング形状をなすものである。また、胴板１１２，１１３は、内周面部に２つの真円リング１２２が点溶接により仮固定されており、この各真円リング１２２により搬送時の変形が防止される。なお、この真円リング１２２は、組付時に取り外される。
【００５９】
底板１１４は、図３−３に示すように、皿型形状をなしている。また、底板１１４は、外周縁部に真円リング１２３が点溶接により仮固定されており、この真円リング１２３により搬送時の変形が防止される。なお、この真円リング１２３は、組付時に取り外される。
【００６０】
スカート１１５，１１６は、スカート上部１１５とスカート下部１１６である。スカート上部１１５は、図３−４に示すように、リング形状をなしている。また、スカート上部１１５は、内周面部に２つの真円リング１２４が点溶接により仮固定されており、この各真円リング１２４により搬送時の変形が防止される。なお、この真円リング１２４は、組付時に取り外される。スカート下部１１６は、図３−５に示すように、リング形状をなす本体１１６ａの下部に円盤形状をなすフランジ部１１６ｂが溶接により固定されると共に、周方向に等間隔で補強材１１６ｃが溶接により固定されて構成されている。また、スカート下部１１６は、内周面部に真円リング１２５が点溶接により仮固定されており、この真円リング１２５により搬送時の変形が防止される。なお、この真円リング１２５は、組付時に取り外される。
【００６１】
貯蔵タンク１０１は、この屋根板１１１、胴板１１２，１１３、底板１１４、スカート１１５，１１６などが溶接により接合されて構成される。そして、これらの部材が接合されて本体が構成された後に、開口部１１１ａから内部に連続するように後述する排出ポンプ用のガイドレール１４５（図１参照）が装着される。
【００６２】
即ち、図１及び図２に示すように、１つの胴板１１２と５つの胴板１１３が上下に連続するように接合されており、その上部に屋根板１１１が接合され、開口部１１１ａの位置にポンプ搬入管台１３１が固定されている。また、胴板１１２は、樹脂入口管台１３２を介して樹脂吐出ノズル１３３が取付けられており、この樹脂吐出ノズル１３３は、屋根板１１１から垂下された支持部材１３４により支持されている。また、胴板１１２は、洗浄水入口管台１３５を介して洗浄水配管１３６が取付けられており、この洗浄水配管１３６は、屋根板１１１から垂下された支持部材１３７により支持されている。更に、胴板１１２は、オーバーフロー管台１３８を介してノズルスクリーン１３９が取付けられている。また、屋根板１１１は、外部に開放するようにベント管台１４０が取付けられている。
【００６３】
また、屋根板１１１は、下面に放射状をなす複数のサポート部材１４１が周方向に均等間隔で固定されている。また、屋根板１１１は、トップアングル１４３が固定されている。
【００６４】
スカート上部１１５とスカート下部１１６は、互いに接合され、スカート上部１１５は、胴板１１３の下端部に接合されると共に、底板１１４の外周縁部が接合されている。そして、スカート下部１１６は、マンホール１４４が装着されている。そして、屋根板１１１、胴板１１２，１１３、底板１１４、スカート１１５，１１６の軸心に沿って、且つ、開口部１１１ａに連続するように、一対のガイドレール１４５が配置され、複数のサポート部材１４６により胴板１１３に支持されている。
【００６５】
次に、本実施例の放射性廃棄物の貯蔵タンクの搬入方法について説明する。本実施例では、例えば、原子力発電プラントや再処理プラント等の各種プラントにて、建屋の地下部分に貯蔵タンクの設置区域が設けられている。そのため、別の敷地にある工場で、貯蔵タンクを分割した部材を製作した後、トラックなどにより建屋まで搬送し、この複数の部材を建屋の入口から搬入し、所定の通路や開口部などを通って貯蔵タンクの設置区域まで搬送する。
【００６６】
この場合、貯蔵タンク１０１を構成する屋根板１１１、複数の胴板１１２，１１３、底板１１４と、スカート１１５，１１６などを設置区域の手前の搬入用区域まで搬送し、屋根板１１１と胴板１１２と３つの胴板１１３を接合して上部タンク１０２を製作すると共に、２つの胴板１１３と底板１１４とスカート１１５，１１６を接合して下部タンク１０３を製作する。そして、上部タンク１０２、下部タンク１０３の順に設置区域に搬入して両者を接合する。なお、実際には、上部タンク１０２を設置する区域に搬入している間に、胴板１１３と底板１１４とスカート１１５，１１６を接合して下部タンク１０３を製作している。
【００６７】
この建屋において、図４乃至図７に示すように、設置区域Ａは、床面１１に対して３つの側方に鉛直な壁１２，１３，１４が立設され、上方に天井１５が形成されて構成され、鉛直な壁１２，１３，１４を除く１つの側方に搬入口（側方入口部）１６が設けられると共に、天井１５に開口１７が設けられている。この場合、設置区域Ａへの搬入口１６は、貯蔵タンク１０１の総高さ（上部タンク１０２及び下部タンク１０３を接合した高さ）よりも低く設定され、且つ、上部タンク１０２及び下部タンク１０３の各高さより高く設定されている。つまり、設置区域Ａは、３つの側方に鉛直な壁１２，１３，１４が立設されると共に、搬入口１６側にもその上方に鉛直な壁１８が設けられている。そして、設置区域Ａにおける搬入口１６側に隣接して搬入用区域Ｂが設けられている。
【００６８】
本実施例の放射性廃棄物の貯蔵タンクの搬入方法は、貯蔵タンク１０１を搬入用区域Ｂから設置区域Ａに搬入する方法であって、上部タンク１０２を搬入口１６から床面１１に沿って水平移送して設置区域Ａに搬入する第１工程と、設置区域Ａ内に搬入された上部タンク１０２を上方に移送する第２工程と、下部タンク１０３を搬入口１６から床面１１に沿って水平移送して設置区域Ａにおける上部タンク１０２の下方に搬入する第３工程と、下部タンク１０３を上部タンク１０２の下方の所定位置で位置決めする第４工程と、上部タンク１０２を下方に移送して下部タンク１０３の上に載置する第５工程と、上部タンク１０２と下部タンク１０３を接合する第６工程とを有している。
【００６９】
また、第３工程にて、下部タンク１０３は、搬送台車に搭載されてこの搬送台車が床面１１上を走行することで設置区域Ａに搬入され、床面１１上に配置された昇降装置により上昇され、搬送台車が設置区域Ａから搬出された後、昇降装置により下降されて基礎上に設置される。この場合、下部タンク１０３は、側面部が搬送台車に支持され、搬送台車の走行により設置区域Ａに搬入される。
【００７０】
また、第４工程にて、下部タンク１０３は、上部タンク１０２の下方の所定位置で位置決装置により位置決めされる。
【００７１】
また、第５工程にて、下部タンク１０３は、基礎に設置された後、基礎ボルトにより基礎に固定され、その後、上部タンク１０２が載置される。
【００７２】
なお、第６工程にて、上部タンク１０２と下部タンク１０３とが接合された後、開口部１１１ａから内部に連続するように排出ポンプ用のガイドレール１４５が装着される。
【００７３】
以下、本実施例の放射性廃棄物の貯蔵タンクの搬入方法を実現するための構成について詳細に説明する。
【００７４】
設置区域Ａは、床面１１に貯蔵タンク１０１を設置するための基礎２０が敷設されている。搬入用区域Ｂから設置区域Ａにかけて、床面１１には、この基礎２０の両側に位置して一対のＩ形断面をなすガイドレール２１が固定されている。図４乃至図６−３に示すように、搬送台車である第１搬送台車２２は、上部タンク１０２を搬入用区域Ｂから設置区域Ａに搬入するものである。この第１搬送台車２２は、ガイドレール２１と平行な２つのＩ形断面をなす縦梁２３と、ガイドレール２１と直交して２つのＩ形断面をなす縦梁２３を連結する４つの横梁２４とから構成されている。そして、各縦梁２３は、その上面部に横梁２４の端部が連結され、下面部にガイドレール２１上を転動する複数のガイドローラ２５が装着されている。この場合、縦梁２３と横梁２４とで枠体が構成され、縦梁２３と横梁２４とガイドローラ２５から台車本体が構成される。従って、この第１搬送台車２２は、各横梁２４上に上部タンク１０２を搭載可能であり、ガイドレール２１に沿って搬入用区域Ｂから設置区域Ａに移動することで、上部タンク１０２を搬入口１６から設置区域Ａに搬入することができる。
【００７５】
第１搬送台車２２は、図４及び図６−１に示すように、移動装置６１により移動可能に設けられている。移動装置６１は、台車本体を牽引するものであって、索部材６２と、牽引機構６３とを有している。索部材６２は、移動側である台車本体と固定側である鉛直な壁１２との間に掛け渡されるもので、例えば、チェーンがある。索部材６２は、本実施例では、台車本体の縦梁２３の側部に設けられた取付部材としての台付ピース２３ａに一端が連結され、壁１２に設けられた取付部材としての台付ピース１２ａに他端が連結される。牽引機構６３は、索部材６２の長さを短縮したり延長したりするもので、いわゆるレバーブロックとして構成され、レバーの操作により索部材６２の長さを短縮する。この移動装置６１は、台車本体の各縦梁２３に対応して台車本体の両側に設けられ、双方が同時に操作されて各索部材６２の長さを短縮させることで第１搬送台車２２を設置区域Ａ側に牽引する。なお、移動装置６１は、索部材６２の他端が搬入用区域Ｂ側の床面１１に設けられた取付部材としての台付ピース（図示せず）に連結され、索部材６２の長さを短縮させることで第１搬送台車２２を搬入用区域Ｂ側に牽引する。
【００７６】
また、第１搬送台車２２は、図６−２に示すように、移動装置６５により移動可能に設けられていてもよい。移動装置６５は、台車本体を押し出すものであって、押出機構を有している。押出機構は、例えば、油圧アクチュエータとして構成され、移動側である台車本体と固定側である床面１１との間に配置される。油圧アクチュエータとしての押出機構は、油圧シリンダ６６と、該油圧シリンダ６６内のピストンに連結されるロッド６７とを有し、本実施例では、台車本体の横梁２４の側部に設けられた取付部材としての台付ピース２４ａにロッド６７の先端が連結され、床面１１に設けられた取付部材としての台付ピース（図示せず）に油圧シリンダ６６が連結される。この移動装置６５は、油圧シリンダ６６に作動油が送られてロッド６７が伸長することで第１搬送台車２２を設置区域Ａ側に押し出す。一方、移動装置６５は、油圧シリンダ６６に作動油が送られてロッド６７が短縮することで第１搬送台車２２を搬入用区域Ｂ側に引き戻す。
【００７７】
また、第１搬送台車２２は、図６−３に示すように、移動装置６９により移動可能に設けられていてもよい。移動装置６９は、台車本体を走行させるものであって、駆動機構を有している。駆動機構は、例えば、モータ等の回転駆動機構として構成され、ガイドローラ２５に連結されて該ガイドローラ２５を転動させる。そして、移動装置６９は、移動装置６９の駆動機構によりガイドローラ２５を一方向に転動させることで第１搬送台車２２を設置区域Ａ側に移動させる。また、移動装置６９は、移動装置６９の駆動機構によりガイドローラ２５を他方向に転動させることで第１搬送台車２２を搬入用区域Ｂ側に移動させる。
【００７８】
設置区域Ａは、天井１５に４つの吊りピース２８が取付けられている。一方、上部タンク１０２は、予め外周部に４つの吊りピース１０２ａが周方向で等間隔に固定されている。従って、４つの吊りチェーン２９を各吊りピース２８から上部タンク１０２の各吊りピース１０２ａに係止し、図示しないチェーンブロックにより吊りチェーン２９を牽引することで、この吊りチェーン２９を介して上部タンク１０２を吊り上げて上方に移送することができる。
【００７９】
一方、図８乃至図１２に示すように、搬送台車である第２搬送台車３１は、下部タンク１０３を搬入用区域Ｂから設置区域Ａに搬入するものである。この第２搬送台車３１は、第１搬送台車２２とほぼ同様に、ガイドレール２１と平行な２つのＩ形断面をなす縦梁３２と、ガイドレール２１と直交して２つのＩ形断面をなす縦梁３２を連結する２つの横梁３３とから構成されている。そして、各縦梁３２は、各端部の上面部に横梁３３の端部が連結され、下面部にガイドレール２１上を転動する複数のガイドローラ３４が装着されている。この場合、縦梁３２と横梁３３とで枠体が構成され、縦梁３２と横梁３３とガイドローラ３４から台車本体が構成される。
【００８０】
第２搬送台車３１は、図８及び図１０−１に示すように、移動装置６１により移動可能に設けられている。移動装置６１は、台車本体を牽引するものであって、索部材６２と、牽引機構６３とを有している。索部材６２は、移動側である台車本体と固定側である鉛直な壁１２との間に掛け渡されるもので、例えば、チェーンがある。索部材６２は、本実施例では、台車本体の縦梁３２の側部に設けられた取付部材としての台付ピース３２ａに一端が連結され、壁１２に設けられた取付部材としての台付ピース１２ａに他端が連結される。牽引機構６３は、索部材６２の長さを短縮したり延長したりするもので、いわゆるレバーブロックとして構成され、レバーの操作により索部材６２の長さを短縮する。この移動装置６１は、台車本体の各縦梁３２に対応して台車本体の両側に設けられ、双方が同時に操作されて各索部材６２の長さを短縮させることで第２搬送台車３１を設置区域Ａ側に牽引する。なお、移動装置６１は、索部材６２の他端が搬入用区域Ｂ側の床面１１に設けられた取付部材としての台付ピース（図示せず）に連結され、索部材６２の長さを短縮させることで第２搬送台車３１を搬入用区域Ｂ側に牽引する。
【００８１】
また、第２搬送台車３１は、図１０−２に示すように、移動装置６５により移動可能に設けられていてもよい。移動装置６５は、台車本体を押し出すものであって、押出機構を有している。押出機構は、例えば、油圧アクチュエータとして構成され、移動側である台車本体と固定側である床面１１との間に配置される。油圧アクチュエータとしての押出機構は、油圧シリンダ６６と、該油圧シリンダ６６内のピストンに連結されるロッド６７とを有し、本実施例では、台車本体の横梁３３の側部に設けられた取付部材としての台付ピース３３ａにロッド６７の先端が連結され、床面１１に設けられた取付部材としての台付ピース（図示せず）に油圧シリンダ６６が連結される。この移動装置６５は、油圧シリンダ６６に作動油が送られてロッド６７が伸長することで第２搬送台車３１を設置区域Ａ側に押し出す。一方、移動装置６５は、油圧シリンダ６６に作動油が送られてロッド６７が伸縮することで第２搬送台車３１を搬入用区域Ｂ側に引き戻す。
【００８２】
また、第２搬送台車３１は、図６−３に示すように、移動装置６９により移動可能に設けられていてもよい。移動装置６９は、台車本体を走行させるものであって、駆動機構を有している。駆動機構は、例えば、モータ等の回転駆動機構として構成され、ガイドローラ３４に連結されて該ガイドローラ３４を転動させる。そして、移動装置６９は、移動装置６９の駆動機構によりガイドローラ３４を一方向に転動させることで第２搬送台車３１を設置区域Ａ側に移動させる。また、移動装置６９は、移動装置６９の駆動機構によりガイドローラ３４を他方向に転動させることで第２搬送台車３１を搬入用区域Ｂ側に移動させる。
【００８３】
また、第２搬送台車３１は、各縦梁３２及び各横梁３３におけるそれぞれの長手方向の中間部に下部タンク１０３の側部を支持可能な第１サポート部材３５が設けられている。この第１サポート部材３５は、Ｉ形断面をなし、各縦梁３２及び各横梁３３と直交する水平方向に沿って配置され、一端部が各縦梁３２及び各横梁３３の上面部にボルトにより連結され、他端部が枠体の内側に向けて延出されている。この場合、縦梁３２と横梁３３では、第１サポート部材３５の装着高さが相違している。具体的に、図１２に示すように、縦梁３２に設けられた第１サポート部材３５は、縦梁３２上に連結されて横梁３３と同高さに装着され、図１１に示すように、横梁３３に設けられた第１サポート部材３５は、横梁３３上に連結されている。第２搬送台車３１は、下部タンク１０３の側部に周方向に等間隔で固定される複数の第１サポートパッド３６を有している。この第１サポートパッド３６は、一面が下部タンク１０３の外周面に密着するような湾曲面をなし、他面が水平面となっており、下部タンク１０３の外周面に密着し、例えば、溶接（または、ボルト）により固定されている。この場合、縦梁３２と横梁３３では、第１サポート部材３５の装着高さが相違していることから、各第１サポートパッド３６は、各第１サポート部材３５の装着高さに応じた下部タンク１０３の位置に固定されている。
【００８４】
この場合、第１サポート部材３５の個数と第１サポートパッド３６の個数が同数となっている。そして、図示しないが、各第１サポート部材３５は、端部に一体に形成された支持プレート３５ａに取付用の複数の貫通孔が形成される一方、各第１サポートパッド３６は、取付用の複数の雌ねじ部が形成されている。
【００８５】
従って、この第２搬送台車３１は、枠体の内側に下部タンク１０３を配置し、床面１１から所定量上昇させた位置で、各第１サポート部材３５の支持プレート３５ａを下部タンク１０３の各第１サポートパッド３６に密着し、複数の固定ボルト３７により各第１サポート部材３５を各第１サポートパッド３６に取付けることで、この下部タンク１０３を着脱自在に支持することができる。そして、この第２搬送台車３１は、各縦梁３２及び各横梁３３により下部タンク１０３を支持可能であり、ガイドレール２１に沿って搬入用区域Ｂから設置区域Ａに移動することで、下部タンク１０３を搬入口１６から設置区域Ａに搬入することができる。
【００８６】
また、図１１及び図１２に示すように、下部タンク１０３は、フランジ部１１６ｂに挿通穴１１６ｂｂが設けられている。挿通穴１１６ｂｂは、位置決ピン７１が先端を下方に向けて挿通される。一方、基礎２０は、位置決穴部２０ｂが形成されている。位置決穴部２０ｂは、下部タンク１０３が上部タンク１０２の下方の所定位置に移送された場合に位置決ピン７１の先端が挿入される。上部タンク１０２の下方の所定位置とは、設置区域Ａであって、下部タンク１０３が基礎ボルトで基礎に固定される位置である。即ち、下部タンク１０３が上部タンク１０２の下方の所定位置に移送された場合、下部タンク１０３のフランジ部１１６ｂに設けられた挿通穴１１６ｂｂの鉛直下の位置の基礎に位置決穴部２０ｂが形成されているため、下部タンク１０３が上部タンク１０２の下方の所定位置に移送されたときに、挿通穴１１６ｂｂに挿通されている位置決ピン７１の先端が位置決穴部２０ｂに挿入される。従って、位置決ピン７１の先端が位置決穴部２０ｂに挿入されたとき、下部タンク１０３が基礎ボルトで基礎に固定される位置に位置決めされたことになる。この挿通穴１１６ｂｂ、位置決ピン７１、及び位置決穴部２０ｂが位置決装置を構成する。なお、図１５に示すように、基礎ボルト５１を位置決ピン７１とし、基礎ボルト５１が下部タンク１０３のフランジ部１１６ｂに貫通される取付穴１１６ｂａを挿通穴１１６ｂｂとし、基礎ボルト５１が螺合される基礎２０の雌ねじ部２０ａを位置決穴部２０ｂとして位置決装置を構成してもよい。
【００８７】
また、図１３乃至図１５に示すように、下部タンク１０３は、側部に周方向に等間隔で複数の第２サポートパッド４１が設けられており、この第２サポートパッド４１に第２サポート部材４２が固定ボルト４３により着脱自在に取付けられている。即ち、第２サポートパッド４１は、一面が下部タンク１０３の外周面に密着するような湾曲面をなし、他面が水平面となっており、下部タンク１０３の外周面に密着し、例えば、溶接（または、ボルト）により固定されている。なお、この第２サポートパッド４１は、上述した縦梁３２に固定された第１サポートパッド３６とほぼ同じ高さで、且つ、下部タンク１０３の周方向に約３０度ずれた位置に固定されている。各第２サポート部材４２は、Ｉ形断面をなし、下部タンク１０３の径方向に沿って配置され、一端部に設けられた支持プレート４２ａが下部タンク１０３の各第２サポートパッド４１に密着した状態で、複数の固定ボルト４３が支持プレート４２ａを貫通して各第２サポートパッド４１に螺合することで、各第２サポート部材４２が各第２サポートパッド４１を介して下部タンク１０３に取付けられる。
【００８８】
昇降装置としてのジャッキ４４は、電動（または、油圧）により昇降可能なピストン４４ａを有し、各第２サポート部材４２の他端部に対応する床面１１に配置されている。従って、第２搬送台車３１により搬入用区域Ｂから設置区域Ａに搬入された下部タンク１０３に対して、所定の位置に各第２サポート部材４２を固定すると共に、この各第２サポート部材４２の下方に各ジャッキ４４を配置し、この各ジャッキ４４を作動して各ピストン４４ａを前進することで、各第２サポート部材４２を介して下部タンク１０３を上昇させることができる。なお、ジャッキ４４により下部タンク１０３を上昇させた後、基礎２０と下部タンク１０３のフランジ部１１６ｂとの間に複数のライナプレート４５を挿入することで、下部タンク１０３の荷重を受け止める。
【００８９】
そして、下部タンク１０３がライナプレート４５により基礎２０上に支持された状態で、固定ボルト３７を弛緩することで、各第１サポート部材３５と各第１サポートパッド３６との連結を解除し、第２搬送台車３１を設置区域Ａから搬入用区域Ｂに搬出することができる。その後、ジャッキ４４を用いて下部タンク１０３を上昇させた後、ライナプレート４５を取り外し、ジャッキ４４を作動して各ピストンを後退することで、各第２サポート部材４２を介して下部タンク１０３を下降し、基礎２０上に載置することができる。
【００９０】
ここで、本実施例の放射性廃棄物の貯蔵タンクの搬入方法について詳細に説明する。
【００９１】
図１に示すように、貯蔵タンク１０１を構成する屋根板１１１、複数の胴板１１２，１１３、底板１１４と、スカート１１５，１１６などは、工場にて製作され、トラックなどにより建屋まで搬送され、この建屋の入口から所定の通路を通して、図４乃至図７に示すように、設置区域Ａの手前の搬入用区域Ｂまで搬送する。そして、この搬入用区域Ｂにて、屋根板１１１と胴板１１２と３つの胴板１１３を接合することで、上部タンク１０２を製作する。
【００９２】
上部タンク１０２が製作されると、搬入用区域Ｂのガイドレール２１に支持された第１搬送台車２２上にこの上部タンク１０２を載せる。そして、移動装置６１（６５，６９）により第１搬送台車２２を前進させることで、搬入用区域Ｂから設置区域Ａに移動する。この場合、搬入口１６の高さが十分でなくても、まず、第１搬送台車２２により上部タンク１０２だけをこの搬入口１６から設置区域Ａに搬入することで、この上部タンク１０２の搬入作業が容易となる。
【００９３】
第１搬送台車２２と共に上部タンク１０２が設置区域Ａに搬入されると、天井１５に設けられた各吊りピース２８から吊り下げられた各吊りチェーン２９の端部を上部タンク１０２の各吊りピース１０２ａに係止し、チェーンブロックにより吊りチェーン２９を牽引することで、上部タンク１０２を吊り上げて上方に移送する。
【００９４】
一方、図８乃至図１２に示すように、上部タンク１０２を上方に移送する作業を行っている間、搬入用区域Ｂにて、２つの胴板１１３と底板１１４とスカート１１５，１１６を接合して下部タンク１０３を製作する。
【００９５】
上部タンク１０２が所定の上方位置まで移送され、搬入用区域Ｂで下部タンク１０３が製作されると、この搬入用区域Ｂに第２搬送台車３１を用意し、その枠体の内側に下部タンク１０３を配置し、床面１１から所定量だけ上昇させた位置で、各第１サポート部材３５の支持プレート３５ａを下部タンク１０３の各第１サポートパッド３６に固定することで、第２搬送台車３１に下部タンク１０３を支持させる。そして、この第２搬送台車３１を移動装置６１（６５，６９）によりガイドレール２１に沿って、搬入用区域Ｂから設置区域Ａに移動することで、支持した下部タンク１０３を搬入口１６から設置区域Ａに搬入することができる。ここで、下部タンク１０３は、上部タンク１０２の下方に位置することとなり、両者の間には所定の隙間が確保されている。
【００９６】
第２搬送台車３１と共に下部タンク１０３が設置区域Ａに搬入されるとき、図１１及び図１２に示すように、下部タンク１０３におけるフランジ部１１６ｂに設けられた挿通穴１１６ｂｂに挿通されている位置決ピン７１が、基礎２０の上面に接触しながら下部タンク１０３と共に移動する。そして、下部タンク１０３が基礎ボルトにより基礎に固定される所定位置に移送されたとき、位置決ピン７１が基礎２０に設けられた位置決穴部２０ｂに挿入されて下部タンク１０３が位置決めされる。
【００９７】
第２搬送台車３１と共に下部タンク１０３が設置区域Ａに搬入されると、図１３乃至図１５に示すように、設置区域Ａにて、第２搬送台車３１により下部タンク１０３が支持された状態で、各第２サポート部材４２を下部タンク１０３の各第２サポートパッド４１に固定すると共に、この各第２サポート部材４２の下方に各ジャッキ４４を配置する。そして、各ジャッキ４４を作動することで、各第２サポート部材４２を介して下部タンク１０３を上昇させる。このとき、基礎２０と下部タンク１０３のフランジ部１１６ｂとの間に複数のライナプレート４５を挿入することで、下部タンク１０３の荷重を受け止める。
【００９８】
そして、下部タンク１０３がライナプレート４５により基礎２０上に支持された状態で、固定ボルト３７を弛緩することで、下部タンク１０３の各第１サポート部材３５から各第１サポートパッド３６を取り外す。続いて、第２搬送台車３１から壁１２側の横梁３３だけを取り外した後、第２搬送台車３１を移動することで、設置区域Ａから搬入用区域Ｂに搬出する。
【００９９】
なお、搬入用区域Ｂにて、第２搬送台車３１に下部タンク１０３を支持させるとき、この下部タンク１０３を上昇させている。この場合、ジャッキ４４を用いて下部タンク１０３を上昇させてもよいし、また、このときに第２サポート部材４２を下部タンク１０３の各第２サポートパッド４１に固定しておき、各ジャッキ４４によりこの各第２サポート部材４２を介して下部タンク１０３を上昇させてもよい。また、別途、吊りチェーンや揚重設備等を用意してもよい。
【０１００】
また、ジャッキ４４を作動して第２サポート部材４２を介して下部タンク１０３を上昇させ、この状態で、下部タンク１０３と第１サポート部材３５との連結を解除して第２搬送台車３１を搬出する。この場合、ジャッキ４４を少し作動して第２搬送台車３１が下部タンク１０３を支持した位置で、第２サポート部材４２を介して下部タンク１０３を支持し、ここでライナプレート４５により基礎２０上に下部タンク１０３を支持し、下部タンク１０３と第１サポート部材３５との連結を解除するとよい。
【０１０１】
そして、第２搬送台車３１が設置区域Ａから搬入用区域Ｂに搬出されると、図１６に示すように、その後、ジャッキ４４を用いて下部タンク１０３を上昇させた後、ライナプレート４５を取り外してから、ジャッキ４４を作動して各ピストン４４ａを後退することで、各第２サポート部材４２を介して下部タンク１０３を下降し、基礎２０上に載置する。ここで、基礎２０上にて、下部タンク１０３の水平方向における位置決めを行い、図１５に示すように、上方から基礎ボルト５１を下部タンク１０３のフランジ部１１６ｂに設けられた複数の取付穴１１６ｂａに貫通し、基礎２０にナットを予め配置して構成した雌ねじ部２０ａに螺合することで、下部タンク１０３を基礎２０上に固定する。
【０１０２】
その後、図１７に示すように、チェーンブロックにより吊りチェーン２９を移動することで、上部タンク１０２を吊り下げて下方に移し、上部タンク１０２を下部タンク１０３上に載置する。そして、上部タンク１０２の下縁部と下部タンク１０３の上縁部とを溶接して接合（溶接部Ｊ）する。そして、上部タンク１０２から吊りチェーン２９を取り外す。
【０１０３】
なお、上部タンク１０２と下部タンク１０３とが接合された後、開口部１１１ａから内部に連続するように排出ポンプ用のガイドレール１４５を配置し、複数のサポート部材１４６により胴板１１３に支持する。
【０１０４】
このように本実施例の貯蔵容器の搬送台車にあっては、本体の上部に開口部１１１ａを有して内部に放射性廃棄物を貯留可能な放射性廃棄物の貯蔵タンク１０１を設置区域Ａに搬入する貯蔵容器の搬送台車であって、床面１１に沿って移動自在な第１搬送台車２２及び第２搬送台車３１と、第１搬送台車２２及び第２搬送台車３１を移動可能にする移動装置６１，６５，６９とを備える。
【０１０５】
従って、第１搬送台車２２及び第２搬送台車３１が移動装置６１，６５，６９により移動可能に設けられていることで、大型の貯蔵タンク１０１を所定の位置に容易に搬入することができる。
【０１０６】
また、本実施例の貯蔵容器の搬送台車では、移動装置６１は、第１搬送台車２２及び第２搬送台車３１を牽引するものであって、第１搬送台車２２及び第２搬送台車３１は、移動装置６１における牽引用の索部材６２を連結可能な台付ピース２３ａ，３２ａが設けられている。従って、第１搬送台車２２及び第２搬送台車３１は、移動装置６１の索部材６２が取付けられて移動可能となるため、大型の貯蔵タンク１０１を所定の位置に容易に搬入することができる。
【０１０７】
また、本実施例の貯蔵容器の搬送台車では、移動装置６５は、第１搬送台車２２及び第２搬送台車３１を押し出すものであって、第１搬送台車２２及び第２搬送台車３１は、移動装置６５における押出機構を連結可能な取付部材が設けられている。従って、第１搬送台車２２及び第２搬送台車３１は、移動装置６５の押出機構が取付けられて移動可能となるため、大型の貯蔵タンク１０１を所定の位置に容易に搬入することができる。
【０１０８】
また、本実施例の貯蔵容器の搬送台車では、移動装置６９は、第１搬送台車２２及び第２搬送台車３１を走行させるものであって、第１搬送台車２２及び第２搬送台車３１は、移動装置６９における駆動機構により転動されるガイドローラ２５，３４が設けられている。従って、第１搬送台車２２及び第２搬送台車３１は、移動装置６９の駆動機構が取付けられガイドローラ２５，３４が転動されることで移動可能となるため、大型の貯蔵タンク１０１を所定の位置に容易に搬入することができる。
【０１０９】
また、本実施例の貯蔵容器の搬送台車では、一端部がこの第２搬送台車３１に連結されて他端部が貯蔵タンク１０１を構成する下部タンク１０３の側部を支持可能な第１サポート部材３５を設けている。従って、第２搬送台車３１が複数の第１サポート部材３５を介して下部タンク１０３の側部を支持することで、下部タンク１０３を低姿勢の状態で搬送することが可能となり、大型の貯蔵タンク１０１を所定の位置に容易に設置することができる。
【０１１０】
また、本実施例の貯蔵容器の搬送台車では、水平な一対の縦梁３２と一対の横梁３３との各端部を連結することで、内側に下部タンク１０３が配置可能な枠体をなすように第２搬送台車３１を構成し、この縦梁３２と横梁３３に第１サポート部材３５を連結している。従って、下部タンク１０３を枠体の内側に配置して第１サポート部材３５により支持することで、第２搬送台車３１の高さにかかわらず、下部タンク１０３を床面１１と微小の隙間をもって搬送することができ、設置区域Ａに対して搬入口１６が小さい場合であっても、下部タンク１０３を容易に搬入して設置することができる。
【０１１１】
また、本実施例の貯蔵容器の搬送台車では、第１サポート部材３５を各縦梁３２と各横梁３３における長手方向の中間部にそれぞれ連結している。従って、各縦梁３２及び各横梁３３と下部タンク１０３との距離を短くすることで、第１サポート部材３５の長さを短くすることができ、第１サポート部材３５に作用する荷重を低減し、この第１サポート部材３５の小型軽量化を可能とすることができる。
【０１１２】
また、本実施例の貯蔵容器の搬送台車では、下部タンク１０３の側部に周方向に等間隔で固定される複数の第１サポートパッド３６を設け、この第１サポート部材３５の端部を第１サポートパッド３６を介して下部タンク１０３の側部に着脱自在に連結している。従って、予め第１サポートパッド３６を下部タンク１０３の側部に固定しておくことで、第１サポート部材３５と第１サポートパッド３６を連結することで、この下部タンク１０３を容易に支持することができる。
【０１１３】
また、本実施例の貯蔵容器の搬送台車では、第１サポートパッド３６に第１サポート部材３５を固定するための固定ボルト３７が螺合する雌ねじ部を設けている。従って、第１サポート部材３５と第１サポートパッド３６との連結作業の簡素化を可能とすることができる。
【０１１４】
また、本実施例の貯蔵容器の搬入方法にあっては、本体の上部に開口部１１１ａを有して内部に放射性廃棄物を貯留可能な放射性廃棄物の貯蔵タンク１０１を設置区域Ａに搬入する貯蔵容器の搬入方法であって、上部タンク１０２を搬入口１６から床面１１に沿って水平移送して設置区域Ａに搬入する第１工程と、設置区域Ａ内に搬入された上部タンク１０２を上方に移送する第２工程と、下部タンク１０３を搬入口１６から床面１１に沿って水平移送して設置区域Ａにおける上部タンク１０２の下方に搬入する第３工程と、下部タンク１０３を上部タンク１０２の下方の所定位置で位置決めする第４工程と、上部タンク１０２を下方に移送して下部タンク１０３の上に載置する第５工程と、上部タンク１０２と下部タンク１０３を接合する第６工程とを有している。
【０１１５】
従って、上部タンク１０２を搬入口１６から設置区域Ａに搬入して上方に移送した後に、下部タンク１０３を搬入口１６からこの上部タンク１０２の下方に搬入し、上部タンク１０２を下部タンク１０３上に載置して両者を接合することで、貯蔵タンク１０１を設置する設置区域Ａに対して搬入口１６が小さい場合であっても、貯蔵タンク１０１を容易に搬入して設置することができる。しかも、下部タンク１０３を上部タンク１０２の下方の所定位置で位置決めすることで、設置区域Ａの所定位置に対して下部タンク１０３を設置することができる。
【０１１６】
また、本実施例の貯蔵容器の搬入方法では、下部タンク１０３を上部タンク１０２の下方の所定位置で位置決めする工程は、下方に先端を向けて配置されて下部タンク１０３と共に移送される位置決ピン７１と、床面１１側に設けられて位置決ピン７１の先端が挿入可能に設けられた位置決穴部２０ｂとを設け、下部タンク１０３が上部タンク１０２の下方の所定位置に移送された際に位置決穴部２０ｂに位置決ピン７１の先端が挿入される。従って、位置決ピン７１が位置決穴部２０ｂに挿入することで、下部タンク１０３を上部タンク１０２の下方の所定位置で位置決めでき、設置区域Ａの所定位置に対して下部タンク１０３を設置することができる。
【０１１７】
また、本実施例の貯蔵容器の搬入方法では、下部タンク１０３を側方入口部から床面１１に沿って水平移送して設置区域Ａにおける上部タンク１０２の下方に搬入する工程は、下部タンク１０３が搭載される第２搬送台車３１に取付けられた索部材６２を固定側との間に掛け渡して引くことで第２搬送台車３１を床面１１に沿って水平移送させる。従って、第２搬送台車３１が移動可能に設けられることで、大型の貯蔵タンク１０１を所定の位置に容易に搬入することができる。
【０１１８】
また、本実施例の貯蔵容器の搬入方法では、下部タンク１０３を第２搬送台車３１に搭載してガイドレール２１に沿って走行することで設置区域Ａに搬入し、床面１１上に配置されたジャッキ４４により上昇し、第２搬送台車３１を設置区域Ａから搬出した後、ジャッキ４４により下降して基礎２０上に設置している。従って、第２搬送台車３１に載せて下部タンク１０３を設置区域Ａに搬入し、ジャッキ４４により下部タンク１０３を上昇させることで、第２搬送台車３１を容易に搬出することができる。
【０１１９】
また、本実施例の貯蔵容器の搬入方法では、下部タンク１０３の側面部を第２搬送台車３１に支持し、この第２搬送台車３１の走行により設置区域Ａに搬入している。従って、第２搬送台車３１は下部タンク１０３の側面部を支持して設置区域Ａに搬入することで、第２搬送台車３１に支持された下部タンク１０３の高さを低く抑えることができ、下部タンク１０３の搬入性を向上することができる。
【０１２０】
また、本実施例の貯蔵容器の搬入方法では、下部タンク１０３を基礎２０に設置した後、複数の基礎ボルト５１により基礎２０に固定し、その後、上部タンク１０２を下部タンク１０３の上に載置している。従って、下部タンク１０３を基礎２０に固定してから上部タンク１０２を載置することで、軽量な状態で下部タンク１０３を適正な位置に固定することができると共に、上部タンク１０２の載置作業による下部タンク１０３の位置ずれを防止することができる。
【０１２１】
また、本実施例の貯蔵容器の搬入方法では、上部タンク１０２と下部タンク１０３とを接合した後、開口部１１１ａから内部に連続するように排出ポンプ用のガイドレール１４５に装着している。従って、本体の組立後にガイドレール１４５を装着することで、このガイドレール１４５までも分割せずに組付性を向上することができる。
【０１２２】
また、本実施例の貯蔵容器の搬入方法では、上部タンク１０２を屋根板１１１と複数の胴板１１２，１１３とで構成し、下部タンク１０３を複数の胴板１１３と底板１１４とスカート１１５，１１６とで構成し、建屋の入口から通路を通して屋根板１１１、複数の胴板１１２，１１３、底板１１４、スカート１１５，１１６を搬入用区域Ｂまで搬入し、ここで、屋根板１１１と複数の胴板１１２，１１３とを接合して上部タンク１０２を構成すると共に、複数の胴板１１３と底板１１４とスカート１１５，１１６とを接合して下部タンク１０３を構成し、上部タンク１０２、下部タンク１０３の順に設置区域Ａに搬入している。従って、貯蔵タンク１０１を屋根板１１１、胴板１１２，１１３、底板１１４、スカート１１５，１１６の複数の部品から構成することで、狭い通路であっても容易に搬送することができ、組付性を向上することができる。
【０１２３】
また、本実施例の貯蔵容器の搬入方法では、設置区域Ａへの搬入口１６は、貯蔵タンク１０１の総高さ（上部タンク１０２及び下部タンク１０３を接合した高さ）よりも低く設定され、且つ、上部タンク１０２及び下部タンク１０３の各高さより高く設定されている。従って、貯蔵タンク１０１を設置する設置区域Ａに対する搬入口１６の高さが規定されている場合であっても、貯蔵タンク１０１を容易にこの設置区域Ａに搬入して設置することができる。
【０１２４】
また、本実施例の放射性廃棄物の貯蔵容器にあっては、円筒形状をなす本体の上部に開口部１１１ａを有して下部が皿型形状をなし、内部に放射性廃棄物を貯留可能な放射性廃棄物の貯蔵タンク１０１であって、円筒形状をなす上部タンク１０２と下部タンク１０３とを溶接により接合して構成している。さらに、本実施例の放射性廃棄物の貯蔵容器は、
上部タンク１０２を上方に移送させた状態で下部タンク１０３を上部タンク１０２の下方に移送して上部タンク１０２と下部タンク１０３が接合されるもので、下部タンク１０３は、下方に先端を向けて配置された位置決ピン７１が設けられ、上部タンク１０２の下方の所定位置に移送された際に、床面１１側に設けられた位置決穴部２０ｂに位置決ピン７１の先端が挿入される。
【０１２５】
従って、小型である上部タンク１０２と下部タンク１０３の状態で、設置区域Ａに搬入し、ここで、上部タンク１０２と下部タンク１０３を接合して貯蔵タンク１０１を構成することで、大型の貯蔵タンク１０１を容易に搬入することができる。しかも、位置決ピン７１が位置決穴部２０ｂに挿入することで、下部タンク１０３を上部タンク１０２の下方の所定位置で位置決めでき、設置区域Ａの所定位置に対して下部タンク１０３を設置することができる。
【０１２６】
また、本実施例の放射性廃棄物の貯蔵容器では、開口部１１１ａを有する屋根板１１１と、リング形状をなす複数の胴板１１２，１１３と、皿型形状をなす底板１１４と、底板１１４を支持するスカート１１５，１１６とを順に組み合わして接合することで、貯蔵タンク１０１を構成している。従って、屋根板１１１、胴板１１２，１１３、底板１１４、スカート１１５，１１６の複数の部品から構成することで、狭い通路であっても容易に搬送することができ、組付性を向上することができる。また、各部品をリング形状とし、且つ、変形しないように搬送することで、搬入用区域Ｂでの組立作業を容易とし、短期間で容易に設置区域Ａに搬入して接合することができる。
【０１２７】
また、本実施例の放射性廃棄物の貯蔵容器では、屋根板１１１と複数の胴板１１２，１１３と底板１１４とスカート１１５，１１６とが接合された後に、開口部１１１ａから内部に連続するように排出ポンプ用のガイドレール１４５が装着されている。従って、本体の組立後にガイドレール１４５を装着することで、このガイドレール１４５までも分割せずに組付性を向上することができる。
【０１２８】
なお、上述した実施例にて、貯蔵タンク１０１を屋根板１１１、複数の胴板１１２，１１３、底板１１４、スカート１１５，１１６など１０個の部品を接合して構成したが、分割個数や分割位置は実施例に限定されるものではない。また、貯蔵タンク１０１を上部タンク１０２と下部タンク１０３とし、順番に設置区域Ａに搬入したが、このときの分割数も２個に限定されるものではなく、上部タンク、中部タンク、下部タンクなど、３分割、または、４分割以上であってもよい。
【０１２９】
なお、上述した実施例は、貯蔵タンク１０１を設置区域Ａに搬入することについて説明した。その他、貯蔵タンク１０１を交換したり、プラントを解体したりするとき、貯蔵タンク１０１を設置区域Ａから搬入用区域Ｂに搬出することになる。このような場合、貯蔵タンク１０１を上部タンク１０２と下部タンク１０３とに分割し、上記の逆の手順にて貯蔵タンク１０１を搬出する。そして、第１搬送台車２２や第２搬送台車３１は、移動装置６１（６５，６９）により設置区域Ａから搬入用区域Ｂに移送される。
【符号の説明】
【０１３０】
１１  床面
１６  搬入口（側方入口部）
２０  基礎
２０ｂ  位置決穴部
２１  ガイドレール
２２  第１搬送台車（搬送台車）
２９  吊りチェーン
３１  第２搬送台車（搬送台車）
３２  縦梁
３３  横梁
３５  第１サポート部材
３６  第１サポートパッド
３７  固定ボルト
４１  第２サポートパッド
４２  第２サポート部材
４４  ジャッキ（昇降装置）
５１  基礎ボルト
６１，６５，６９  移動装置
６２  索部材
６３  牽引機構
６６  油圧シリンダ
６７  ロッド
７１  位置決ピン
１０１  貯蔵タンク（貯蔵容器）
１０２  上部タンク（上部容器）
１０３  下部タンク（下部容器）
１１１  屋根板
１１２，１１３  胴板
１１４  底板
１１５，１１６  スカート
Ａ  設置区域
Ｂ  搬入用区域
【図１】
0006647789.tif 000002
【図２】
0006647789.tif 000003
【図３−１】
0006647789.tif 000004
【図３−２】
0006647789.tif 000005
【図３−３】
0006647789.tif 000006
【図３−４】
0006647789.tif 000007
【図３−５】
0006647789.tif 000008
【図４】
0006647789.tif 000009
【図５】
0006647789.tif 000010
【図６−１】
0006647789.tif 000011
【図６−２】
0006647789.tif 000012
【図６−３】
0006647789.tif 000013
【図７】
0006647789.tif 000014
【図８】
0006647789.tif 000015
【図９】
0006647789.tif 000016
【図１０−１】
0006647789.tif 000017
【図１０−２】
0006647789.tif 000018
【図１１】
0006647789.tif 000019
【図１２】
0006647789.tif 000020
【図１３】
0006647789.tif 000021
【図１４】
0006647789.tif 000022
【図１５】
0006647789.tif 000023
【図１６】
0006647789.tif 000024
【図１７】
0006647789.tif 000025